【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
露光用の開口部が形成されたシャッタ地板と、
前記開口部を開閉する羽根群と、
前記羽根群を駆動する羽根駆動部材と、
前記羽根駆動部材に付勢力を与える駆動バネと、
前記羽根駆動部材を回動させることで、前記駆動バネをチャージするチャージレバーと、
前記羽根駆動部材に延出形成される第１の軸部に取り付けられ、前記チャージレバーと当接する第１のチャージコロと、
前記チャージレバーを回動させるカム部材と、
前記チャージレバーに延出形成される第２の軸部に取り付けられ、前記カム部材に形成されるカム部をトレースする第２のチャージコロと、を有し、
前記カム部材には、前記カム部から前記カム部材の外周に向かって突出するフランジ部が形成され、
前記第２の軸部の延出方向にて前記第２のチャージコロと前記フランジ部とが重なるように、前記カム部材を配置することを特徴とするシャッタ装置。
【請求項２】
前記第２のチャージコロの外径によって前記チャージレバーの回動量の調整を行うことを特徴とする請求項１に記載のシャッタ装置。
【請求項３】
前記チャージレバーの回転中心から前記第１のチャージコロとの当接部までの距離が、前記チャージレバーの回転中心から前記第２のチャージコロとの当接部までの距離よりも長いことを特徴とする請求項１または２に記載のシャッタ装置。
【請求項４】
前記チャージレバーは、水平方向において前記羽根駆動部材よりも前記開口部の中心から遠い位置に配置され、
前記カム部材は、水平方向において前記羽根駆動部材よりも前記開口部の中心に近い位置に配置されることを特徴とする請求項１から３のいずれか１項に記載のシャッタ装置。
【請求項５】
前記羽根群を回転可能に保持する羽根アーム部材を更に有し、
前記シャッタ地板には、第３の軸部が形成されており、
前記羽根駆動部材は、前記第３の軸部に軸支され、前記第３の軸部を中心として回動することで前記羽根アーム部材を駆動し、
前記羽根アーム部材および前記羽根駆動部材は、前記シャッタ地板の同一面側に配置され、
前記羽根アーム部材は前記羽根駆動部材に固定され、前記第３の軸部を中心として回転することを特徴とする請求項１から４のいずれか１項に記載のシャッタ装置。
【請求項６】
前記羽根駆動部材には、前記第３の軸部に軸支される軸支部が形成され、
前記軸支部の外周に、前記羽根アーム部材に形成される穴部を嵌合させることで、前記羽根アーム部材を前記羽根駆動部材に固定することを特徴とする請求項５に記載のシャッタ装置。
【請求項７】
請求項１から６のいずれか１項に記載のシャッタ装置を有することを特徴とする撮像装置。
【手続補正２】
【補正対象書類名】明細書
【補正対象項目名】００１０
【補正方法】変更
【補正の内容】
【００１０】
本発明の一側面としてのシャッタ装置は、露光用の開口部が形成されたシャッタ地板と、前記開口部を開閉する羽根群と、前記羽根群を駆動する羽根駆動部材と、前記羽根駆動部材に付勢力を与える駆動バネと、前記羽根駆動部材を回動させることで、前記駆動バネをチャージするチャージレバーと、前記羽根駆動部材に延出形成される第１の軸部に取り付けられ、前記チャージレバーと当接する第１のチャージコロと、前記チャージレバーを回動させるカム部材と、前記チャージレバーに延出形成される第２の軸部に取り付けられ、前記カム部材に形成されるカム部をトレースする第２のチャージコロと、を有し、前記カム部材には、前記カム部から前記カム部材の外周に向かって突出するフランジ部が形成され、前記第２の軸部の延出方向にて前記第２のチャージコロと前記フランジ部とが重なるように、前記カム部材を配置することを特徴とする。
【手続補正３】
【補正対象書類名】明細書
【補正対象項目名】００１２
【補正方法】変更
【補正の内容】
【００１２】
【図１】本発明のシャッタ装置の実施形態の一例であるフォーカルプレーンシャッタが搭載された撮像装置の外観斜視図である。
【図２】撮像装置のブロック図である。
【図３】フォーカルプレーンシャッタの分解斜視図である。
【図４】フォーカルプレーンシャッタの背面図である。
【図５】カムギアの正面図である。
【図６】チャージレバーの分解斜視図である。
【図７】羽根駆動部材の拡大図である。
【図８】羽根駆動部材の分解斜視図である。
【図９】シャッタ地板の軸の断面図である。
【図１０】補助地板の斜視図である。
【図１１】フレキシブル基板が取り付けられた状態のフォーカルプレーンシャッタの背面図である。
【図１２】図１１のＡ−Ａ線断面図である。
【図１３】フォーカルプレーンシャッタの一部を拡大した図である。
【図１４】図１３のＡ−Ａ線断面図である。
【図１５】緩衝部材をシャッタ地板に取り付ける直前の状態を示した斜視図である。
【図１６】電磁石をヨークの吸着面から見た図である。
【図１７】フォーカルプレーンシャッタの羽根群の動作図である。
【図１８】フォーカルプレーンシャッタ及び撮像素子の動作タイミングを示す図である。
【手続補正４】
【補正対象書類名】明細書
【補正対象項目名】００２２
【補正方法】変更
【補正の内容】
【００２２】
ＣＰＵ９は、ＡＦＥ４、ＤＳＰ５、撮像素子駆動回路、シャッタ駆動回路１１の制御を行う。
【手続補正５】
【補正対象書類名】明細書
【補正対象項目名】００２３
【補正方法】変更
【補正の内容】
【００２３】
電圧検出手段９１は撮像装置１００の電源電圧を検出し、温度検出手段９２は撮像装置の温度を検出し、位相検出手段９３はフォーカルプレーンシャッタ２内部に備えられ、羽根位相検出手段とカム位相検出手段から構成される。レンズ制御手段９４は、撮像レンズ１の焦点距離、絞り径、瞳径、瞳と撮像素子の距離等のレンズ情報をＣＰＵ９に出力するとともに、ＣＰＵ９による制御に応じて絞り、レンズ等を駆動する。各検出手段の検出結果はＣＰＵ９に入力される。
【手続補正６】
【補正対象書類名】明細書
【補正対象項目名】００２６
【補正方法】変更
【補正の内容】
【００２６】
モータ２２０は、出力軸が撮影光軸（開口２０６ａを通過する光束の光軸）と略平行になるようにシャッタ地板２０１に取り付けられている。モータ２２０から伝達部材である減速ギア列を介して伝達される駆動力によって、カムギア（カム部材）２０３が回動する。
【手続補正７】
【補正対象書類名】明細書
【補正対象項目名】００３０
【補正方法】変更
【補正の内容】
【００３０】
図６は、チャージレバー２６０の分解斜視図である。図６に図示するように、チャージレバー２６０には、軸部（第２の軸部）２６０ａが延出形成されるとともに、当接部２６０ｂが形成される。軸部２６０ａには、チャージコロ（第２のチャージコロ）２０４ｂが取り付けられる。当接部２６０ｂは羽根駆動部材２０２に設けられたチャージコロ（第１のチャージコロ）２０４ａに当接する。軸部２６０ａに取り付けられた２０４ｂがカムギア２０３のカム部２０３ａを常にトレースすることで、カムギア２０３はチャージレバー２６０を駆動している。
【手続補正８】
【補正対象書類名】明細書
【補正対象項目名】００３６
【補正方法】変更
【補正の内容】
【００３６】
羽根駆動部材２０２にチャージコロカバー２１４を取り付ける前に、チャージコロ２０４ａを羽根駆動部材２０２に延出形成される軸部（第１の軸部）２０２ｇに取り付ける。
【手続補正９】
【補正対象書類名】明細書
【補正対象項目名】００５２
【補正方法】変更
【補正の内容】
【００５２】
図９は、シャッタ地板２０１の軸（第３の軸部）２０１ａの断面図である。図９に図示するように、羽根駆動部材２０２の軸支部２０２ｄにシャッタ地板２０１の軸２０１ａが挿入されることで、羽根駆動部材２０２はシャッタ地板２０１の軸２０１ａに軸支されている。
【手続補正１０】
【補正対象書類名】明細書
【補正対象項目名】０１０８
【補正方法】変更
【補正の内容】
【０１０８】
ヨーク２５１とアマチャ２１２を吸着状態にした後、シャッタ駆動回路１１がモータ２２０に通電し、カムギア２０３を反時計方向に回転させる。チャージコロ２０４ａは、カムギア２０３のカムトップ領域２０３ａ−１をトレースする状態からからカム傾斜領域２０３ａ−２をトレースする状態へ移る。チャージレバー２６０は、カム傾斜領域２０３ａ−２をトレースすることで徐々にオーバーチャージ状態が解除される。そして、チャージコロ２０４ａがカムボトム領域２０３ａ−３をトレースする状態になると、図１７Ｂに示す羽根群２３０の走行前待機状態へと移行する。そして、第２のフォトインタラプタ２０７ｂがＬ信号を出力する状態からＨを出力する状態になると、シャッタ駆動回路１１はモータ２２０への通電を停止する（図１８（３））。